(57)【要約】      （修正有）【課題】作業効率及び操作安定性を高めることが可能であり、テープを同じ長さに裁断可能なテープ台を提供する。【解決手段】第一テープ巻輪３０、３２は基座の一端に回転可能に設けられている。回転盤４０は一つの回転軸４１及び複数の支持アーム４２を有する。駆動取手５０は取手棒５１および取手軸５２を有する。歯車ユニットは駆動歯車６１及び伝動歯車６２、６３を有する。第一裁断ユニット７０は、第一カッタ座７１、従動歯車７４、および複数の第一カッタ７５を有する。複数の第一カッタ７５は所定間隔を隔てて第一カッタ座７１の外周面に環設されておりかつ回転盤４０の裁断溝内に選択可能に伸入可能である。位置決めユニット８０は基座の底面に設けられている位置決め吸盤を有する。【選択図】図２
0003205196.tif 000002
【実用新案登録請求の範囲】
【請求項１】
基座と、第一テープ巻輪と、回転盤と、駆動取手と、歯車ユニットと、第一裁断ユニットとを備え、
前記第一テープ巻輪は、前記基座の一端に回転可能に設けられており、
前記回転盤は、一つの回転軸及び複数の支持アームを有し、前記回転軸は前記基座の他端に回転可能に設けられており、前記支持アームは前記回転軸に結合されており前記回転軸を中心として放射状に配列されており、互いに隣接する二つの前記支持アームの間に裁断溝が形成されており、
前記駆動取手は、取手棒および取手軸を有し、前記取手軸は、一端が前記基座の一方の側面に回転可能に貫設されておりかつワンウェイクラッチにより前記回転盤の前記回転軸に連結されており、他端が前記基座の外部に位置しておりかつ前記取手棒に連結されており、
前記歯車ユニットは、駆動歯車及び伝動歯車を有し、前記駆動歯車が前記回転盤の前記回転軸に嵌め込まれており、前記伝動歯車が前記基座内に回転可能に設けられておりかつ前記駆動歯車と噛み合っており、
前記第一裁断ユニットは、第一カッタ座、従動歯車、および複数の第一カッタを有し、前記第一カッタ座が前記基座内に回転可能に設けられており、前記従動歯車が前記第一カッタ座の一端に固定されておりかつ前記歯車ユニットの前記伝動歯車と噛み合っており、複数の前記第一カッタが所定間隔を隔てて前記第一カッタ座の外周面に環設されておりかつ前記回転盤の前記裁断溝内に選択可能に伸入可能であることを特徴とするテープ台。
【請求項２】
位置決めユニットをさらに備え、
前記位置決めユニットは、前記基座の底面に設けられている位置決め吸盤、位置決め座、操作棒、および押棒をさらに有し、
前記位置決め座は前記基座の底面に設けられておりかつ収容溝を有し、
前記操作棒は前記基座内に位置しており凸輪部を有し、
前記押棒は、頂端が前記操作棒の前記凸輪部に回転可能に設けられており、底端が収容溝内に伸入されておりかつ前記位置決め吸盤に固定されていることを特徴とする請求項１に記載のテープ台。
【請求項３】
前記基座の底面は少なくとも一つの第一係止フックを有し、
前記位置決めユニットの前記位置決め座の頂面は少なくとも一つの第二係止フックを有し、
前記第二係止フックは前記第一係止フックに分解可能に係合されていることを特徴とする請求項２に記載のテープ台。
【請求項４】
前記位置決めユニットは滑り止めシートをさらに有し、
前記滑り止めシートは、前記位置決め座の底面に設けられており、前記収容溝に対応かつ連通している貫通溝有し、
前記位置決め吸盤は前記収容溝および前記貫通溝内に同時収容されていることを特徴とする請求項２または３に記載のテープ台。
【請求項５】
前記回転盤の前記支持アームは支持部および弧形部を有し、
前記支持部は前記弧形部と前記回転軸の間に連結されており、
前記弧形部は指入溝を有し、
前記指入溝は前記裁断溝の幅より大きい幅を有し、
互いに隣接する二つの前記支持アームの前記弧形部は連結部により連結されており、互いに隣接する二つの前記弧形部と前記連結部の間に前記裁断溝が形成されていることを特徴とする請求項１に記載のテープ台。
【請求項６】
前記回転盤の各前記支持アームは突出縁部を有し、
前記突出縁部は前記弧形部の一端から他端に向いて横方向に伸び出すことを特徴とする請求項５に記載のテープ台。
【請求項７】
第二テープ巻輪および第二裁断ユニットをさらに備え、
前記第二テープ巻輪は、前記基座の一端の外側面に回転可能に設けられており、
前記第二裁断ユニットは、第二カッタ座および第二カッタを有し、
前記第二カッタ座は前記基座の他端の外側面に設けられており、
前記第二カッタは前記第二カッタ座に設けられていることを特徴とする請求項１、５、または６に記載のテープ台。
【請求項８】
前記回転盤の前記回転軸の外周面に少なくとも一つの凹部が形成されており、
前記駆動歯車は一つの嵌込孔を有し、
前記嵌込孔は内壁に少なくとも一つの凸部が形成されており、
前記駆動歯車は、前記嵌込孔により前記回転盤の前記回転軸に嵌め込まれており、前記凸部により前記凹部に係合されていることを特徴とする請求項１、５、または６に記載のテープ台。
【考案の詳細な説明】
【技術分野】
【０００１】
本考案は、テープ台に関し、特に、テープを同じ長さに裁断可能なテープ台に関する。
【背景技術】
【０００２】
テープを便利にするためのテープ台は広く使用されている補助工具となっている。テープ台を使用するとき、使用者は目測に基づいて引き出されたテープの長さが足りるか否かを判断する。よって、テープの長さが長過ぎるとき、および、テープの長さが短すぎるときがある。これは、テープの浪費に繋がり、使用者に不便をもたらす。
【０００３】
上述の問題を解決するために特許文献１では、回転盤の回転によりテープ巻輪に嵌め込まれたテープが適当な長さで引き出された時、単一のカッタの往復移動により回転盤に貼付けられたテープを同じ長さに裁断する。しかしながら、前述の特許では、単一のカッタによる作業効率が理想的でない。
【先行技術文献】
【特許文献】
【０００４】
【特許文献１】韓国特許公開第１０−２００９−０１１７２８０号明細書
【考案の概要】
【考案が解決しようとする課題】
【０００５】
本考案の目的は、作業効率及び操作安定性を高めることが可能であり、テープを同じ長さに裁断可能なテープ台を提供することにある。
【課題を解決するための手段】
【０００６】
上述の目的を達成するために、本考案によるテープ台は、基座と、第一テープ巻輪と、回転盤と、駆動取手と、歯車ユニットと、第一裁断ユニットと、置決めユニットとを備える。第一テープ巻輪は、基座の一端に回転可能に設けられている。回転盤は、一つの回転軸及び複数の支持アームを有し、回転軸は基座の他端に回転可能に設けられており、支持アームは回転軸に結合されており回転軸を中心として放射状に配列されており、互いに隣接する二つの支持アームの間に裁断溝が形成されている。駆動取手は、取手棒および取手軸を有し、取手軸は、一端が基座の一方の側面に回転可能に貫設されておりかつ回転盤の回転軸に連結されており、他端が基座の外部に位置しておりかつ取手棒に連結されている。歯車ユニットは、駆動歯車及び伝動歯車を有し、駆動歯車が回転盤の回転軸に嵌め込まれており、伝動歯車が基座内に回転可能に設けられておりかつ駆動歯車と噛み合っている。第一裁断ユニットは、第一カッタ座、従動歯車、および複数の第一カッタを有し、第一カッタ座が基座内に回転可能に設けられており、従動歯車が第一カッタ座の一端に固定されておりかつ歯車ユニットの伝動歯車と噛み合っており、複数の第一カッタが所定間隔を隔てて第一カッタ座の外周面に環設されておりかつ回転盤の裁断溝内に選択可能に伸入可能である。位置決めユニットは基座の底面に設けられている位置決め吸盤を有する。
【０００７】
上述の設計により、操作を開始する前に、位置決め吸盤により基座を机の上に固定し、操作の安定性を高める。操作を開始するときに、駆動取手により回転盤を回転させる。回転盤はテープロールのテープを引き取る。同時に、歯車ユニットの伝動により第一カッタ座を回転させる。第一カッタは、第一カッタ座の回転により順番に回転盤の裁断溝の中に伸入し、回転盤により引き取られたテープを複数の同じ長さのテープに裁断する。これにより、裁断作業の効率を高めることができる。
【０００８】
好ましくは、位置決めユニットは、位置決め座、操作棒、および押棒をさらに有する。位置決め座は基座の底面に設けられておりかつ収容溝を有する。操作棒は基座内に位置しており凸輪部を有する。押棒は、頂端が操作棒の凸輪部に回転可能に設けられており、底端が収容溝内に伸入しかつ位置決め吸盤に固定されている。押棒は操作棒の駆動により吸盤を連動させる。位置決め座は、位置決め吸盤により適当な位置に固定された後、基座を位置決め座の頂面に固定することができる。これにより、基座は良好な位置決め効果を有し操作する時に滑ることが抑制される。
【０００９】
好ましくは、第二テープ巻輪および第二裁断ユニットをさらに備える。第にテープ巻輪は、基座の一端の外側面に回転可能に設けられている。第二裁断ユニットは、第二カッタ座および第二カッタを有する。第二カッタ座は基座の他端の外側面に設けられており第二テープ巻輪の前方に位置している。これにより、使用者は第二裁断ユニットにより複数の異なる長さのテープを切り出すことができる。
【図面の簡単な説明】
【００１０】
【図１】本考案の一実施形態によるテープ台を示す斜視図である。
【図２】本考案の一実施形態によるテープ台の一部を示す斜視図である。
【図３】本考案の一実施形態によるテープ台の回転盤を示す平面図である。
【図４】本考案の一実施形態によるテープ台の一部を示す側面図であり、歯車ユニットの間の噛み合い関係を示す。
【図５】本考案の一実施形態によるテープ台の一部を示す分解斜視図であり、基座と位置決めユニットとの間の結合関係を示す。
【図６】本考案の一実施形態によるテープ台の一部を示す断面図であり、押棒が吸盤を押していない状態を示す。
【図７】本考案の一実施形態によるテープ台の一部を示す断面図であり、押棒が吸盤を押している状態を示す。
【図８】本考案の一実施形態によるテープ台の側面図であり、操作前の状態を示す。
【図９】本考案の一実施形態によるテープ台の側面図であり、操作後の状態を示す。
【考案を実施するための形態】
【００１１】
（一実施形態）
本考案の一実施形態によるテープ台を図面に基づいて説明する。
図１、２、４、および５に示すように、本考案のテープ台１０は、一つの基座２０、二つの第一テープ巻輪３０、３２、一つの回転盤４０、一つの駆動取手５０、一つの歯車ユニット６０、一つの第一裁断ユニット７０、および、一つの位置決めユニット８０を備える。
【００１２】
基座２０は一つの第一側蓋２１および一つの第二側蓋２２を有する。第一側蓋２１および第二側蓋２２の底面にはそれぞれ二つの第一係止フック２３が形成されている。基座２０の第一側蓋２１および第二側蓋２２の隣接する箇所に一つの矩形欠口２４が形成されている。
【００１３】
第一テープ巻輪３０は、第一輪軸３４により基座２０の第一側蓋２１と第二側蓋２２の間に設けられており、テープロール１１を嵌め込むのに用いられる。第一テープ巻輪３２は、第一輪軸３４に嵌め込まれており、第一テープ巻輪３０と並列に設置されており、別のテープロール１１を嵌め込むのに用いられる。第一テープ巻輪３２は実際の需要によって設置しなくても良い。
【００１４】
図２、３に示すように、回転盤４０は、第一テープ巻輪３０、３２の前方に位置し、一つの回転軸４１および複数の支持アーム４２を有する。回転軸４１は基座２０の第一側蓋２１と第二側蓋２２の間に回転可能に設けられている。回転軸４１の一端の外周面には二つの互いに対向している凹部４１２が形成されている。複数の支持アーム４２は、回転軸４１を回転中心として放射状に配置されており、それぞれ支持部４３および弧形部４４を有する。支持部４３は弧形部４４と回転軸４１の間に連結されている。弧形部４４は、回転軸４１とは反対側の開口方向に、指を入れるのに用いられる指入溝４５を有する。互いに隣接する二つの支持アーム４２の弧形部４４は連結部４６により連結されている。これにより、互いに隣接する二つの弧形部４４と連結部４６の間に裁断溝４７が形成されているようにする。裁断溝４７は指入溝４５の幅より小さい幅を有する。また、各支持アーム４２は突出縁部４８を有する。突出縁部４８は弧形部４４の一端から他端に向いて横方向に伸び出す。
【００１５】
図２に示すように、駆動取手５０は取手棒５１および取手軸５２を有する。取手軸５２は、基座２０の第一側蓋２１に回転可能に貫設されている。取手軸５２は、一端が１つのワンウェイクラッチ５３により回転盤４０の回転軸４１に連結されており、他端が基座２０の外部まで伸び出しかつ取手棒５１に連結されている。よって、取手棒５１を下方向に押す時、取手軸５２により回転盤４０が回転する。取手棒５１を上方向に押す時、ワンウェイクラッチ５３により取手軸５２と回転盤４０の間の連動を遮断する。すなわち、回転盤４０は取手軸５２とともに逆方向に回転しない。
【００１６】
歯車ユニット６０は、一つの駆動歯車６１及び二つの伝動歯車６２、６３（実際は、少なくとも一つであれば良い）を有する。図２、４に示すように、駆動歯車６１は一つの嵌込孔６１２を有する。嵌込孔６１２は内壁に二つの互いに対向する凸部６１４が形成されている。駆動歯車６１は、嵌込孔６１２により回転盤４０の回転軸４１に嵌め込まれており、凸部６１４により回転軸４１の凹部４１２に係合されている。二つの伝動歯車６２、６３は、基座２０の第一側蓋２１の内側面に回転可能に設けられており、互いに噛み合っており、一方の伝動歯車６２が駆動歯車６１と噛み合っている。よって、駆動歯車６１は回転盤４０の回転により二つの伝動歯車６２、６３を連動させ回転させる。
【００１７】
第一裁断ユニット７０は、一つの第一カッタ座７１、一つの従動歯車７４、および複数の第一カッタ７５を有する。第一カッタ座７１は、両端が基座２０の第一側蓋２１と第二側蓋２２の間に回転可能に設けられている。従動歯車７４は、第一カッタ座７１の一端に固定されておりかつ歯車ユニット６０の伝動歯車６３と噛み合っている。複数の第一カッタ７５は、所定間隔を隔てて第一カッタ座７１の外周面に環設されている。これにより、従動歯車７４は、伝動歯車６３に駆動され、第一カッタ座７１を連動させかつ回転させ、各第一カッタ７５を第一カッタ座７１と同時に回転させる。
【００１８】
図５から７に示すように、位置決めユニット８０は位置決め座８１を有する。位置決め座８１は中央に収容溝８１２が形成されている。位置決め座８１の頂面は二対の第二係止フック８１４を有する。位置決めユニット８０は、滑り止めシート８２、位置決め吸盤８３、押棒８４、および操作棒８５をさらに有する。滑り止めシート８２は、位置決め座８１の底面に設けられており、収容溝８１２に対応かつ連通している貫通溝８２２有する。位置決め吸盤８３は位置決め座８１の収容溝８１２および滑り止めシート８２の貫通溝８２２内に同時収容されている。押棒８４は、頂端が基座２０内に伸入されており、底端が位置決め座８１の収容溝８１２内に伸入されておりかつ位置決め吸盤８３に固定されている。操作棒８５の一端は、凸輪部８５２を有し、凸輪部８５２により押棒８４の頂端に回転可能に接続されている。これにより、押棒８４は操作棒８５の駆動により位置決め吸盤８３を連動させることができる。
【００１９】
テープを裁断する前に、使用者は操作棒８５を使用し位置決め吸盤８３を机の上に付着させることができる。そして、基座２０の第一側蓋２１および第二側蓋２２の第一係止フック２３と位置決め座８１の第二係止フック８１４を係合させ、両者を固定する。これにより、基座２０を机の上に固定し滑りを防止する。固定後、操作棒８５は基座２０の矩形欠口２４により基座２０内に位置する。続いて、テープ１１２の裁断を行うことができる。
【００２０】
実際の操作を行う時、図８、９に示すように、まず、駆動取手５０を下方向に押し、駆動取手５０が回転盤４０を連動させ且つ回転させる。回転盤４０が回転するとき、回転盤４０の互いに隣接する二つの支持アーム４２の弧形部４４は同時にテープロール１１のテープ１１２を引き取る。同時に、回転盤４０の回転軸４１は駆動歯車６１を連動させ且つ回転させ、続いて駆動歯車６１が二つの伝動歯車６２、６３を連動させ且つ回転させる。よって、伝動歯車６３が従動歯車７４により第一カッタ座７１を駆動し回転させるようにする。第一カッタ座７１が回転するとき、これらの第一カッタ７５は、回転盤４０の裁断溝４７の中に入り、テープ１１２を複数の同じ長さを有するテープ段１１４に裁断される。テープ段１１４は、裁断が完成後、支持アーム４２の弧形部４４の両端の間に貼付けられる。この時、支持アーム４２の突出縁部４８の設置によりテープ段１１４との粘着面積を増加することができる。これにより、テープ段１１４が脱落することを防止することができる。使用者がテープ１１２を裁断し、必要な数が得られた時、駆動取手５０を上方向に押すことで、駆動取手５０と回転盤４０の連動関係を解除する。これにより、回転盤４０と第一カッタ座７１の回転が同時に停止するようにする。最後に、指を指入溝４５内に入れることで、これらのテープ段１１４を取り出すことができる。
【００２１】
一方、使用者の異なる要求を満足するために、本考案のテープ台１０は第二テープ巻輪３６および第二裁断ユニット９０を備える。第二テープ巻輪３６は、第二輪軸３８により基座２０の第二側蓋２２の外側面に設けられており、テープロール１２を嵌め込むのに用いられる。第二裁断ユニット９０は、第二カッタ座９２および第二カッタ座９２に設けられている第二カッタ９４を有する。第二カッタ座９２は基座２０の第二側蓋２２の外側面に設けられており、第二テープ巻輪３６の前方に位置する。これにより、使用者は、前述の操作によりテープ１１２を同じ長さを有するテープ段１１４に裁断することができるほか、第二カッタ９４を選択し、テープロール１２のテープを異なる長さに裁断することができる。
【００２２】
上述した通り、本考案のテープ台１０は回転盤４０と第一裁断ユニット７０の組み合わせにより、回転盤４０から取り出されたテープ１１２を迅速に同じ長さに裁断することができる。これにより、裁断作業の効率を高めることができる。また、位置決めユニット８０の位置決め吸盤８３の設計により、使用者は、テープの裁断を開始する前に、基座２０を机の上に確実に固定し、滑りを防止することで操作の安定性を高める目的を達成することができる。
【符号の説明】
【００２３】
１０  テープ台
１１、１２  テープロール
１１２  テープ
１１４  テープ段
２０  基座
２１  第一側蓋
２２  第二側蓋
２３  第一係止フック
２４  矩形欠口
３０、３２  第一テープ巻輪
３４  第一輪軸
３６  第二テープ巻輪
３８  第二輪軸
４０  回転盤
４１  回転軸
４１２  凹部
４２  支持アーム
４３  支持部
４４  弧形部
４５  指入溝
４６  連結部
４７  裁断溝
４８  突出縁部
５０  駆動取手
５１  取手棒
５２  取手軸
６０  歯車ユニット
６１  駆動歯車
６１２  嵌込孔
６１４  凸部
６２、６３  伝動歯車
７０  第一裁断ユニット
７１  第一カッタ座
７４  従動歯車
７５  第一カッタ
８０  位置決めユニット
８１  位置決め座
８１２  収容溝
８１４  第二係止フック
８２  滑り止めシート
８２２  貫通溝
８３  位置決め吸盤
８４  押棒
８５  操作棒
８５２  凸輪部
９０  第二裁断ユニット
９２  第二カッタ座
９４  第二カッタ
【図１】
0003205196.tif 000003
【図２】
0003205196.tif 000004
【図３】
0003205196.tif 000005
【図４】
0003205196.tif 000006
【図５】
0003205196.tif 000007
【図６】
0003205196.tif 000008
【図７】
0003205196.tif 000009
【図８】
0003205196.tif 000010
【図９】
0003205196.tif 000011